(57)【要約】      （修正有）【課題】加工及び組立て手順を簡略化し、構成部品の節減及びコストダウンを達成する。【解決手段】ボール・ナットの本体１に外部表面から内部へ向かって延伸する嵌め込みグルーブ１３を開設して、還流部材２の嵌め込みに供し、前記嵌め込みグルーブによって還流部材の円周方向及び軸方向の位置を制限すると共に、還流部材及び隣り合わせのワイパー・リング１５に対応して嵌め込み構造を設け、前記ワイパー・リングの取り付けによって隣り合わせの還流部材の径方向位置を制限し、還流部材をナットの中に固定する。【選択図】図４
0003118005.tif 000002
【実用新案登録請求の範囲】
【請求項１】
中空管状を呈する本体を有し、その内径に螺旋溝を設け、ボールをその中で転動させ、且つ本体の中に螺旋溝を横に跨る還流孔を設置し、
還流部材をそれぞれ嵌め込むため、前記本体の前記還流孔の両端に、外部表面から内部に向かって延伸する嵌め込みグルーブをそれぞれ設置し、
各嵌め込みグルーブによって各還流部材の円周方向及び軸方向位置を制限するようになっていて、
各還流部材には、それぞれ還流道を備え、
各還流道の両端はそれぞれ螺旋溝及び還流孔につながり、ボールがその中で循環還流するようになっていて、
前記本体の両端にはそれぞれ嵌め込みグルーブと連通するエンドレス・グルーブが備わり、それぞれワイパー・リングを固定するようになっていて、
且つ各還流部材と隣り合わせるワイパー・リングに対応して嵌め込み構造を設けることによって、各ワイパー・リングが各エンドレス・グルーブに固設された時、各ワイパー・リングによって隣り合わせの還流部材を嵌め込んで還流部材を固定可能に構成したことを特徴とする、
ボール・ナットの還流部材固定構造。
【請求項２】
前記本体に対応する各エンドレス・グルーブに、一個以上の径方向へ貫通するボルト孔をそれぞれ設けることによって、それぞれボルトをその中にねじ込んで前記各ワイパー・リングを固定することを特徴とする、請求項１に記載のボール・ナットの還流部材固定構造。
【請求項３】
前記各ワイパー・リングと隣り合わせる還流部材とが接触する側にそれぞれフランジを設け、且つ各還流部材がそれぞれ対応する隣り合わせのワイパー・リングのフランジに孤形の凹槽を設けることによって、各ワイパー・リングのフランジを隣り合わせる還流部材の孤形凹槽にはめ込ませ、前述の嵌め込み構造を構成することを特徴とする、請求項１に記載のボール・ナットの還流部材固定構造。
【考案の詳細な説明】
【技術分野】
【０００１】
本考案は、ボール・ナットの還流部材固定構造に関し、特にワイパー・リングによって還流部材を固定し、構成部品を効果的に減らし、コストを引き下げることの出来るボール・ナットの還流部材固定構造に関するものである。
【背景技術】
【０００２】
図１は、従来のボール・スクリューの断面構造図である。ボール・スクリュー９は、ボール・ナットと相互に嵌り合っており、ボール７がその間で転動することによって、相対的移動が生じる。前記ボール・ナットには、中空管状を呈する本体８が備わり、その内周にはボール７がその中で転動するための螺旋溝８０が設けてある。本体８の中には螺旋溝を横にまたがる還流孔８１が設置されると共に、前記還流孔８１の両端にそれぞれ還流部材８２を設ける。各還流部材８２にはそれぞれ還流道８２１があり、且つ各還流道８２１の両端はそれぞれ螺旋溝８０及び還流孔８１と繋がっていて、ボール７がその中で還流転動できるようになっている。
【０００３】
図２を参照して説明する。本体８及び還流部材８２が安定して結合できるようにするため、前記本体８には前記還流部材８２の外形に対応して嵌め込みグルーブ８３を設置し、前記還流部材８２を外から内へ向かって軸方向に嵌め込むことが出来るようにしてある。且つ前期本体８の前記還流部材８２を設けた位置に対応するエンドレス・グルーブ８４を開設することによって差し止めリング８４１を形成し、図３に示すように、Ｃ型の嵌め輪８５がエンドレス・グルーブ８４に嵌った時に、前記差し止めリング８４１に差し止められて軸方向に前記還流部材８２を位置決めして、還流部材８２の還流道８２１の両端がそれぞれ螺旋溝８０及び還流孔８１と精密に繋がることを確保している。
【０００４】
又、図２及び図３に見られるように、前記本体８の両端には、それぞれワイパー・リング８６を取り付けて、異物が本体８に入り込むのを避けている。
前述のボール・ナットの構造では、本体８と還流部材８２が安定して結合できるようにするために、エンドレス・グルーブ８４を開設し、且つ余分にＣ型の嵌め輪８５を取り付けて前記還流部材８２を位置決めしなければならず、これでは加工及び組立て手順を面倒にし、且つ製造コストを増加することになる。
【０００５】
又、前述の構造では、本体８の両端にそれぞれエンドレス・グルーブ８４を開設すると共に、一定の厚みの差し止めリング８４１の為にスペースを予め保留しなければならず、本体８の寸法縮減が難しく、コンパクト化の設計にとっては不利である；本体８の外径寸法が小さすぎる場合、本体８がエンドレス・グルーブ８４の所から破裂しやすくなり、製品の品質に問題が生じる。
従って、コストダウン及び寸法の縮減を達成するには、前述ボール・ナットの構造は確かに更に改進する必要がある。
【考案の開示】
【考案が解決しようとする課題】
【０００６】
本考案の主要な目的は、ボール・ナットの本体に外部表面から内部へ向かって延伸する嵌め込みグルーブを開設して、前記還流部材を嵌め込むと共に、前記還流部材と前記ワイパー・リングには対応する嵌め合わせ構造を設け、前記ワイパー・リングの取り付けによって隣り合わせの還流部材を固定し、加工及び組立て手順を簡略化し、構成部品の節減及びコストダウンを達成することにある。
【０００７】
本考案の次の目的は、前記ワイパー・リングで還流部材を固定する構造設計によって、前記ワイパー・リングを前記還流部材に近付け、ボール・ナットの寸法を効果的に縮減することにある。
【課題を解決するための手段】
【０００８】
上述考案目的を達成できるボール・ナットのエンド・プラグ固定構造は、ボール・ナットの本体に各還流部材と対応する外部表面から内部へ延伸した嵌め込みグルーブをそれぞれ開設し、各還流部材を嵌め込ませてその円周方向及び軸方向の位置を制限すると共に、本体に各還流部材の嵌め込みグルーブと連通するエンドレス・グルーブをそれぞれ対応開設し、ワイパー・リングをそれぞれ固定できるようにする、且つ各還流部材と隣り合わせのワイパー・リングに対応して嵌め合わせ構造を設けることによって、各ワイパー・リングが各エンドレス・グルーブに固定される時隣り合わせの還流部材を嵌め合わせることが出来るようにして、還流部材の径方向位置を制限して還流部材を固定する。このように、ワイパー・リングで還流部材を固定する構造によって、加工及び組立て手順を効果的に簡略化し、構成部品の減少及びコストダウンを実現できる。
【０００９】
すなわち、本願の第１考案は、中空管状を呈する本体を有し、その内径に螺旋溝を設け、ボールをその中で転動させ、且つ本体の中に螺旋溝を横に跨る還流孔を設置し、還流部材をそれぞれ嵌め込むため、前記本体の前記還流孔の両端に、外部表面から内部に向かって延伸する嵌め込みグルーブをそれぞれ設置し、各嵌め込みグルーブによって各還流部材の円周方向及び軸方向位置を制限するようになっていて、各還流部材には、それぞれ還流道を備え、各還流道の両端はそれぞれ螺旋溝及び還流孔につながり、ボールがその中で循環還流するようになっていて、前記本体の両端にはそれぞれ嵌め込みグルーブと連通するエンドレス・グルーブが備わり、それぞれワイパー・リングを固定するようになっていて、且つ各還流部材と隣り合わせるワイパー・リングに対応して嵌め込み構造を設けることによって、各ワイパー・リングが各エンドレス・グルーブに固設された時、各ワイパー・リングによって隣り合わせの還流部材を嵌め込んで還流部材を固定可能に構成したことを特徴とする、ボール・ナットの還流部材固定構造である。
【００１０】
本願の第２考案は、前記本体に対応する各エンドレス・グルーブに、一個以上の径方向へ貫通するボルト孔をそれぞれ設けることによって、それぞれボルトをその中にねじ込んで前記各ワイパー・リングを固定することを特徴とする、前記第１考案に記載のボール・ナットの還流部材固定構造である。
【００１１】
本願の第３考案は、前記各ワイパー・リングと隣り合わせる還流部材とが接触する側にそれぞれフランジを設け、且つ各還流部材がそれぞれ対応する隣り合わせのワイパー・リングのフランジに孤形の凹槽を設けることによって、各ワイパー・リングのフランジを隣り合わせる還流部材の孤形凹槽にはめ込ませ、前述の嵌め込み構造を構成することを特徴とする、前記第１考案に記載のボール・ナットの還流部材固定構造である。
【考案の効果】
【００１２】
本考案はＣ型嵌め輪の構成部品及びＣ型嵌め輪を取り付けるために設置するエンドレス・グルーブ及び差し止めリングの構造を省いている。
そのため、本考案の構造は加工及び組立て手順を簡略化すると共に、構成部品を減少し、コストダウンすることが出来る。
又、エンドレス・グルーブ及び差し止めリングの構造を簡略化することによって、ワイパー・リングを前記還流部材に近づけ、本体の寸法を効果的に縮減することが出来る。
【考案を実施するための最良の形態】
【００１３】
以下、添付図面を参照して本考案の好適な実施の形態を詳細に説明する。
【００１４】
図４〜図６は、本考案に係るボール・ナットの還流部材固定構造の実施例である。この実施例において、前記ボール・ナットは中空管状を呈する本体１を有し、その内径に螺旋溝１１を設け、ボール（図示せず）をその中で転動させ、且つ本体１の中に螺旋溝１１を横に跨る還流孔１２を設置する。前記還流部材２をそれぞれ嵌め込むため、前記本体１の前記還流孔１２の両端に、外部表面から内部に向かって延伸する嵌め込みグルーブ１３をそれぞれ設置する。前記各嵌め込みグルーブ１３の横断面は、各還流部材２の外形に対応して、それぞれ各嵌め込みグルーブ１３によって各還流部材２の円周方向及び軸方向を制限するようになっている。
【００１５】
各還流部材２には、それぞれ還流道２１を備え、各還流道２１の両端はそれぞれ螺旋溝１１及び還流孔１２につながり、ボールがその中で循環還流するようになっている。
【００１６】
前記本体１の両端にはそれぞれ嵌め込みグルーブ１３と連通するエンドレス・グルーブ１４が備わり、それぞれワイパー・リング１５を固定するようになっている、前記各ワイパー・リング１５の隣り合わせ還流部材２と接触する側にはそれぞれフランジ１５１があり、且つ各還流部材２に対応して隣り合わせるワイパー・リング１５のフランジ１５１には、それぞれ孤形凹槽２２を設けて、各ワイパー・リング１５を各エンドレス・グルーブ１４に固設した時、図５に示すように、各ワイパー・リング１５のフランジ１５１が隣り合わせる還流部材２の孤形凹槽２２に嵌め込まれることによって、各還流部材２の径方向位置を固定する。
【００１７】
尚、前記本体１に対応する各エンドレス・グルーブ１４には、それぞれ一個以上の径方向に貫通するボルト穴１６を設けることによって、その中にそれぞれボルト１７をねじ込んで各ワイパー・リングを１５を固定する。本考案の本体１と還流部材２を組み合わせた外観は図６に示す通りである。
【００１８】
本考案は、ボール・スクリューのの本体１に、外部表面から内部へ向かって延伸する嵌め込みグルーブ１３を開設して前記還流部材２を嵌め込むようになっているので、還流部材２が嵌め込みグルーブ１３に嵌め込まれると、嵌め込みグルーブ１３によって包み込まれ、図６に示すように、還流部材２の円周方向Ｒ及び軸方向Ｓの位置を制限する。そして、ワイパー・リング１５に備わるフランジ１５１と隣り合わせる還流部材２に備わる孤形凹槽２２とが、相互に嵌め合う構造となっている。
従ってワイパー・リング１５がエンドレス・グルーブ１４に取り付け固定されると、前記相互に嵌め合う構造によって前記ワイパー・リング１５と隣合わせる還流部材２の径方向Ｄの位置を制限し、還流部材２を本体１の中にしっかり固定させる。
【００１９】
従来の技術と比べると、本考案ではＣ型嵌め輪８５の構成部品及びＣ型嵌め輪を取り付けるために設置するエンドレス・グルーブ８４及び差し止めリング８４１の構造を省いている。明らかに、本考案の構造は加工及び組立て手順を簡略化すると共に、構成部品を減少し、コストダウンすることが出来る。尚、エンドレス・グルーブ８４及び差し止めリング８４１の構造を簡略化することによって、ワイパー・リング１５を前記還流部材２に近づけ、本体１の寸法を効果的に縮減することが出来る。
【００２０】
特に強調すべきことは、今まで長い間にわたって、還流部材をナットに固定するには、余分の固定部品（例えば、Ｃ型嵌め輪やボルト等）によって固定しなければならず、しかも、余分の固定部品に伴って対応する構造（例えば、エンドレス・グルーブやボルト穴など）を増設しなければならず、このような構造は、明らかに面倒且つ不便であり、より大きい設置スペースを必要とする。
【００２１】
本考案の構造は、従来の技術思想を突破し、既存のワイパー・リングを利用して還流部材を固定することによって、還流部材とナットの製造組立てを一層簡便にしたものである。
【００２２】
勿論、本考案には異なる例もあるが、それは僅かな細部の変化であり、例えば、ワイパー・リングに備わるフランジと隣り合わせの還流部材に備わる孤形凹槽を相互に置き換えて、ワイパー・リングの上にリング状の凹槽を形成させ、還流部材の上には対応する孤形フランジを設置する、このようにしても、同じように相互に嵌め合う構造を構成でき、前述の実施例と同じ効果を達成できる。
【００２３】
上述した実施例の開示は本考案を説明するためのものであり、本考案を制限するものではない。従って凡そ数値の変化や等価素子の置き換え等は、本考案の範疇に属するものとする。
【図面の簡単な説明】
【００２４】
【図１】従来のボール・スクリューの部分組み合わせ断面略図である。
【図２】従来のボール・スクリューのナット及び還流部材の斜視分解図である。
【図３】従来のボール・スクリューのナット及び還流部材の組み合わせ断面略図である。
【図４】本考案のボール・スクリューのナット及び還流部材の斜視分解図である。
【図５】本考案のワイパー・リング及び還流部材が相互に嵌め合わさった略図である。
【図６】本考案の外観斜視図である。
【符号の説明】
【００２５】
１・・・・・・本体
１１・・・・・螺旋溝
１２・・・・・還流孔
１３・・・・・嵌め込みグルーブ
１４・・・・・エンドレス・グルーブ
１５・・・・・ワイパー・リング
１５１・・・・フランジ
１６・・・・・ボルト穴
１７・・・・・ボルト
２・・・・・・還流部材
２１・・・・・還流道
２２・・・・・孤形凹槽
７・・・・・・ボール
８・・・・・・本体
８０・・・・・螺旋溝
８１・・・・・還流孔
８２・・・・・還流部材
８２１・・・・還流道
８３・・・・・嵌め込みグルーブ
８４・・・・・エンドレス・グルーブ
８４１・・・・差し止めリング
８５・・・・・Ｃ型嵌め輪
８６・・・・・ワイパー・リング
９・・・・・・ボール・スクリュー
【図１】
0003118005.tif 000003
【図２】
0003118005.tif 000004
【図３】
0003118005.tif 000005
【図４】
0003118005.tif 000006
【図５】
0003118005.tif 000007
【図６】
0003118005.tif 000008